(57)【要約】【課題】複数の入出力部が通信ネットワークを介して音声及び／又はデータを無線通信により効率良く伝送することができる無線伝送システムを提供する。【解決手段】無線伝送システムは、音声の入出力を行う入出力部と、通信ネットワークを介して入出力部と通信する無線通信部とを備え、入出力部は、音声をデジタル音声信号に変換する音声入力部と、デジタル音声信号を通信パケットに変換し、通信ネットワークへ送信する通信パケット送信部とを有し、無線通信部は、通信ネットワークから通信パケットを受信する通信パケット受信部と、複数の通信方式のうち、受信した通信パケットの送信に用いるべき一の通信方式を選択する選択部と、受信した通信パケットをデジタル音声信号に変換し、デジタル音声信号を一の通信方式に基づき変調して、無線音声信号を生成する無線処理部と、無線音声信号を無線により送信する無線送信部とを有する。【選択図】  図１
2004208140.tif 000002
【特許請求の範囲】
【請求項１】
音声を無線により伝送する無線伝送システムであって、
音声をデジタル音声信号に変換する音声入力部と、
前記デジタル音声信号を通信パケットに変換し、通信ネットワークへ送信する通信パケット送信部と、
前記通信ネットワークから前記通信パケットを受信する通信パケット受信部と、
複数の通信方式のうち、受信した前記通信パケットの送信に用いるべき一の通信方式を選択する選択部と、
受信した前記通信パケットを前記デジタル音声信号に変換し、前記デジタル音声信号を前記一の通信方式に基づき変調して、無線音声信号を生成する無線処理部と、
前記無線音声信号を無線により送信する無線送信部と
を備えることを特徴とする無線伝送システム。
【発明の詳細な説明】
【０００１】
【発明の属する技術分野】
本発明は、無線伝送システムに関する。特に本発明は、音声及びデータを効率良く伝送する無線伝送システムに関する。
【０００２】
【従来の技術】
従来の無線通信機においては、無線機本体に接続されたマイク及びスピーカを使用するか、延長コード等を用いて外部接続マイクや外部接続スピーカを接続して使用する。
また近年、同一の無線通信機上において、複数の通信方式を実現するソフトウェア無線の研究・開発が注目されている（非特許文献１参照）。ソフトウェア無線においては、同一の無線通信機ハードウェア上において、ソフトウェアを切り替えることにより、複数の通信方式を切り替えて動作させることができる。ソフトウェア無線機においては、アナログ音声を伝送するアナログ変調方式と、デジタルデータを伝送するデジタル変調方式とを異なるチャネルで共存させることが可能となる。
【０００３】
【非特許文献１】
荒木、「ソフトウェア無線」、電子情報通信学会誌Ｖｏｌ．８３  Ｎｏ．３、２０００年３月、ｐ．１８３−１９０
【０００４】
【発明が解決しようとする課題】
このようなソフトウェア無線機を離れた場所から使用する場合、音声用の信号線やデータ用の信号線を、それぞれ延長コード等を用いて接続することが一般的である。この場合、ソフトウェア無線機のチャネルの種類に応じて別途配線を行う必要があり、ソフトウェア無線機を効率良く利用することが困難であった。
【０００５】
そこで、本発明は、上記の課題を解決することのできる無線伝送システムを提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、音声を無線により伝送する無線伝送システムであって、音声の入出力を行う入出力部と、通信ネットワークを介して前記入出力部と通信する無線通信部とを備え、前記入出力部は、音声を第１デジタル音声信号に変換する音声入力部と、前記第１デジタル音声信号を第１通信パケットに変換し、通信ネットワークへ送信する第１通信パケット送信部と、前記通信ネットワークから前記第２通信パケットを受信して、第２デジタル音声信号に変換する第２通信パケット受信部と、前記第２通信パケット受信部が出力する第２デジタル音声信号を音声に変換して出力する音声出力部とを有し、前記無線通信部は、前記通信ネットワークから前記第１通信パケットを受信する第１通信パケット受信部と、前記第１通信パケットを前記第１デジタル音声信号に変換し、前記第１デジタル音声信号を変調して第１無線音声信号を生成する第１無線処理部と、前記第１無線音声信号を無線により送信する無線送信部と他の無線通信機器によって無線により送信された第２無線音声信号を受信する無線受信部と、前記無線受信部により受信された第２無線音声信号を復調し、第２デジタル音声信号を生成して、前記第２デジタル音声信号を第２通信パケットに変換する第２無線処理部と、前記第２通信パケットを通信ネットワークへ送信する第２通信パケット送信部とを有する無線伝送システムを提供する。
【０００７】
前記無線通信部は、複数の通信方式のうち、前記第１通信パケットの送信に用いるべき一の通信方式を選択する選択部を更に備え、前記第１無線処理部は、前記一の通信方式に基づき前記第１デジタル音声信号を変調して、前記無線音声信号を生成してもよい。
【０００８】
なお、上記の発明の概要は、本発明の必要な特徴の全てを列挙したものではなくこれらの特徴群のサブコンビネーションも又発明となりうる。
【０００９】
【発明の実施の形態】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１０】
図１は、本実施形態に係る無線伝送システム１０の構成を示す。本実施形態に係る無線伝送システム１０は、音声又はデジタルデータの入出力を行う入出力部１０００ａ〜ｄと、入出力部１０００ａ〜ｂと無線通信部１２００ａ、及び入出力部１０００ｃ〜ｄと無線通信部１２００ｂとをそれぞれ接続する通信ネットワーク１１００ａ〜ｂと、通信ネットワーク１１００ａ〜ｂを介して入出力部１０００ａ〜ｂ及び入出力部１０００ｃ〜ｄとそれぞれ通信する無線通信部１２００ａ〜ｂとを備える。入出力部１０００ｂ〜ｄは、入出力部１０００ａと略同一の構成を取るため、相違点を除き説明を省略する。
【００１１】
入出力部１０００ａは、音声入力部１０１０と、通信パケット送信部１０２０と、通信パケット受信部１０３０と、音声出力部１０４０と、デジタル入出力部１０５０とを有する。音声入力部１０１０は、音声をマイクにより入力して、Ａ／Ｄ変換器等により送信すべきデジタル音声信号に変換する。通信パケット送信部１０２０は、送信すべきデジタル音声信号を予めサイズが定められたフレームに分割して各フレームにヘッダ・フッタ等を付加して整形することにより、送信すべきデジタル音声信号を通信パケットに変換し、通信ネットワーク１１００ａへ送信する。通信パケット受信部１０３０は、通信ネットワーク１１００ａから入出力部１０００ａ宛の通信パケットを受信して、通信パケットに付加されたヘッダ・フッタ等を除去し、デジタル音声信号に変換する。
【００１２】
音声出力部１０４０は、通信パケット受信部１０３０が出力するデジタル音声信号をＤ／Ａ変換器等により音声に変換し、スピーカにより出力する。ここで、音声出力部１０４０は、通信パケット受信部１０３０が出力するデジタル音声信号を入力してＦＩＦＯ（Ｆｉｒｓｔ  Ｉｎ  Ｆｉｒｓｔ  Ｏｕｔ）順に格納し、音声を出力すべき一定の速度でデジタル音声信号を出力するＦＩＦＯメモリを含んでもよい。これにより、音声出力部１０４０は、通信ネットワーク１１００ａを介して不定期に受信される通信パケットから得られるデジタル音声信号を出力する速度を一定に保つことができる。
【００１３】
デジタル入出力部１０５０は、情報端末等の通信機器に接続され、これらの通信機器との間でデジタルデータの入力及び／又は出力を行う。デジタル入出力部１０５０が入力したデジタルデータは、デジタルデータ信号として通信パケット送信部１０２０へ出力される。そして、以下デジタル音声信号と同様に処理されて、無線により伝送される。また、デジタル入出力部１０５０は、通信パケット受信部１０３０が入出力部１０００ａ宛の通信パケットを変換することにより得られたデジタルデータ信号を入力し、デジタル入出力部１０５０に接続された通信機器へ出力する。
【００１４】
以上において、通信パケット送信部１０２０及び通信パケット受信部１０３０は、汎用ＣＰＵ又はマイクロコントローラ等により実現されてもよい。
【００１５】
通信ネットワーク１１００ａ〜ｂは、入出力部１０００ａ〜ｂと無線通信部１２００ａ、入出力部１０００ｃ〜ｄと無線通信部１２００ｂをそれぞれ接続し、これらの間における通信パケットの送受信を中継する。ここで、通信ネットワーク１１００ａ〜ｂは、イーサネット（登録商標）等の汎用のネットワークであってよく、ＴＣＰ／ＩＰ等の汎用のプロトコルによる通信パケットを中継してもよい。これに代えて、通信ネットワーク１１００ａ〜ｂは、赤外線通信やＢｌｕｅｔｏｏｔｈ（登録商標）等の近距離無線通信により実現されてもよい。
【００１６】
無線通信部１２００ａは、通信パケット受信部１３１０と、通信パケット送信部１３１５と、無線処理部１３００と、高周波部１４００と、選択部１５００を有する。無線通信部１２００ｂは、無線通信部１２００ａと略同一の構成を取るため、相違点を除き説明を省略する。
【００１７】
通信パケット受信部１３１０は、通信ネットワーク１１００ａからデジタル音声信号及び／又はデジタルデータ信号を含む通信パケットを受信する。
【００１８】
無線処理部１３００は、受信した通信パケットに付加されたヘッダ・フッタ等を除去し、デジタル音声信号及び／又はデジタルデータ信号に変換する。そして、無線処理部１３００は、デジタル音声信号及び／又はデジタルデータ信号を設定された通信方式に基づき変調して、送信すべき無線音声信号及び／又は無線データ信号であるアナログ信号を生成する。
一方、無線処理部１３００は、他の無線通信機器から高周波部１４００を介して受信した無線音声信号及び／又は無線データ信号であるアナログ信号を、設定された通信方式に基づき復調して、デジタル音声信号及び／又はデジタルデータ信号を生成する。そして、無線処理部１３００は、デジタル音声信号及び／又はデジタルデータ信号を予めサイズが定められたフレームに分割して、各フレームにヘッダ・フッタ等を付加して整形することにより、通信パケットに変換する。本実施形態に係る無線処理部１３００は、ＤＳＰ（Ｄｉｇｉｔａｌ  Ｓｉｇｎａｌ  Ｐｒｏｃｅｓｓｏｒ）、汎用ＣＰＵ、又はマイクロコントローラ等により実現され、以上に示した通信パケットとデジタル音声信号及び／又はデジタルデータ信号の間の変換処理、変復調処理、直交変復調処理の少なくとも一部をソフトウェアにより実現する。
【００１９】
無線処理部１３００は、ベースバンド変調処理及びベースバンド復調処理を行う信号処理部１３２０と、直交変調処理及び直交復調処理を行う直交変復調処理部１３４０と、無線処理部１３００におけるデジタル信号と高周波部１４００におけるアナログ信号の間の変換を行うインターフェイス部１３６０とを含む。
【００２０】
信号処理部１３２０は、ベースバンド変調処理を行うＦＩＦＯメモリ１３２２及び変調処理部１３２４を含む。
ＦＩＦＯメモリ１３２２は、通信パケット受信部１３１０により受信された通信パケットを入力してＦＩＦＯ順に格納し、無線により送信すべき一定の速度で通信パケットを出力する。これにより、ＦＩＦＯメモリ１３２２は、通信ネットワーク１１００ａを介して不定期に受信される通信パケットを処理する速度を一定に保つことができる。変調処理部１３２４は、受信した通信パケットに付加されたヘッダ・フッタ等を除去し、デジタル音声信号及び／又はデジタルデータ信号に変換する。変調処理部１３２４は、デジタル音声信号を例えば数十から数百サンプル点を有する予め定められた単位に分割してベースバンド変調処理を行い、ベースバンド信号Ｉ及びＱを出力する。
【００２１】
また、信号処理部１３２０は、ベースバンド復調処理を行うバッファ１３２６、バッファ１３２７及び復調処理部１３２８を含む。
バッファ１３２６及びバッファ１３２７は、直交変復調処理部１３４０から入力されるベースバンド信号Ｉ及びＱを例えば数十から数百サンプル点を有する予め定められた単位に分割して格納する。復調処理部１３２８は、バッファ１３２６及びバッファ１３２７からベースバンド信号Ｉ及びＱをそれぞれ取得して、ベースバンド復調処理を行い、デジタル音声信号及び／又はデジタルデータ信号に変換する。そして、復調処理部１３２８は、デジタル音声信号及び／又はデジタルデータ信号を予めサイズが定められたフレームに分割して、各フレームにヘッダ・フッタ等を付加して整形することにより、通信パケットに変換する。
【００２２】
直交変復調処理部１３４０は、信号処理部１３２０から入力されたベースバンド信号Ｉ及びＱのレートを変換した後、直交変調してＩＦ（Ｉｎｔｅｒｍｅｄｉａｔｅ  Ｆｒｅｑｕｅｎｃｙ）帯のデジタル信号に変換し、インターフェイス部１３６０へ出力する。また、直交変復調処理部１３４０は、インターフェイス部１３６０から入力されたデジタル信号を直交復調した後、レートを変換して、ベースバンド信号Ｉ及びＱに変換する。そして、直交変復調処理部１３４０は、変換により得られたベースバンド信号Ｉ及びＱを信号処理部１３２０へ出力する。
【００２３】
インターフェイス部１３６０は、Ｄ／Ａ変換器１３６２と、Ａ／Ｄ変換器１３６４とを含む。Ｄ／Ａ変換器１３６２は、直交変復調処理部１３４０から出力されるデジタル信号を入力して、Ｄ／Ａ変換によりアナログ信号に変換して、高周波部１４００へ出力する。Ａ／Ｄ変換器１３６４は、高周波部１４００から入力されるアナログ信号を入力して、Ａ／Ｄ変換によりデジタル信号に変換して、直交変復調処理部１３４０へ出力する。ここで、インターフェイス部１３６０及び高周波部１４００の間で伝送されるＩＦ帯のアナログ信号は、本発明にかかる無線音声信号及び／又は無線データ信号の一例である。
【００２４】
高周波部１４００は、無線送信部１４１０と、無線受信部１４４０とを含む。
無線送信部１４１０は、インターフェイス部１３６０により出力されたアナログ信号を周波数変換する周波数変換部１４２０と、周波数変換部１４２０により周波数変換されたアナログ信号の出力を増幅し、アンテナを介して無線により送信する電力増幅器１４３０（Ｐｏｗｅｒ  Ａｍｐｌｉｆｉｅｒ）を含む。
無線受信部１４４０は、アンテナを介して無線により受信したアナログ信号を増幅する低雑音増幅器１４５０（Ｌｏｗ  Ｎｏｉｓｅ  Ａｍｐｌｉｆｉｅｒ）と、低雑音増幅器１４５０により増幅されたアナログ信号を周波数変換して出力する周波数変換部１４６０とを含む。
【００２５】
選択部１５００は、無線通信部１２００ａが使用することができる複数の通信方式のそれぞれについて、無線処理部１３００に設定すべきプログラム及び／又はデータを格納する。そして、選択部１５００は、通信パケット受信部１３１０が受信した通信パケットの送信に用いるべき通信方式を選択し、当該通信方式に対応するプログラム及び／又はデータを無線処理部１３００に設定する。これにより、無線処理部１３００は、通信ネットワーク１１００ａから受信した通信パケットの送信に用いるべき通信方式に基づき、変調処理及び直交変調処理を行うことができる。また、選択部１５００は、無線により受信された信号を無線受信部１４４０、インターフェイス部１３６０、直交変復調処理部１３４０を介して取得して、無線により受信された信号により指定される通信方式を選択し、当該当該通信方式に対応するプログラム及び／又はデータを無線処理部１３００に設定する。これにより、無線処理部１３００は、無線により受信した通信パケットの送信に用いるべき通信方式に基づき、復調処理及び直交復調処理を行うことができる。
【００２６】
図２は、本実施形態に係る無線伝送システム１０の通信フローを示す。
まず、音声入力部１０１０及び／又はデジタル入出力部１０５０は、音声及び／又はデジタルデータを入力し、デジタル音声信号及び／又はデジタルデータ信号に変換する（Ｓ２００）。次に、通信パケット送信部１０２０は、デジタル音声信号及び／又はデジタルデータ信号を通信パケットに変換し、通信ネットワーク１１００ａを介して無線通信部１２００ａへ送信する（Ｓ２１０）。次に、選択部１５００は、通信ネットワーク１１００ａ及び通信パケット受信部１３１０を介して受信した通信パケットの送信に用いるべき通信方式を選択し、当該通信方式に対応するプログラム及び／又はデータを無線処理部１３００に設定する（Ｓ２２０）。
【００２７】
ここで、選択部１５００は、デジタル音声信号による通信パケットとデジタルデータ信号による通信パケットとで、無線処理部１３００を異なる通信方式に設定してもよい。また、選択部１５００は、通信パケットを送信した入出力部１０００ａ〜ｂによって異なる通信方式を設定してもよいし、通信パケットの宛先となる無線通信部１２００ｂ等の他の通信機器によって異なる通信方式を設定してもよいし、通信パケットの宛先となる入出力部１０００ｃ〜ｄによって異なる通信方式を設定してもよい。ここで、選択部１５００により設定される通信方式は、信号処理部１３２０による変調方式の設定、及び直交変復調処理部１３４０による直交変調方式の設定を含み、これに加えて高周波部１４００による周波数変換方式の設定を更に含んでもよい。
【００２８】
次に、無線処理部１３００は、通信ネットワーク１１００ａから受信した通信パケットをデジタル音声信号及び／又はデジタルデータ信号に変換して、選択部１５００により設定された通信方式に基づき変調（Ｓ２３０）及び直交変調（Ｓ２４０）し、アナログ信号に変換する（Ｓ２５０）。次に、高周波部１４００は、アナログ信号を周波数変換及び増幅し（Ｓ２６０）、無線により送信する（Ｓ２７０）。一方、例えば無線通信部１２００ｂ等の、無線による交信相手の他の無線通信機器からアナログ信号を受信すると、高周波部１４００は、無線により受信したアナログ信号を増幅して周波数変換する（Ｓ２８０）。次に、無線処理部１３００は、高周波部１４００が出力するアナログ信号をデジタル信号に変換し（Ｓ２９０）、直交復調する（Ｓ３００）。
【００２９】
次に、選択部１５００は、直交変復調処理部１３４０を介して取得した、無線により受信された信号により指定される通信方式を選択し、当該通信方式に対応するプログラム及び／又はデータを無線処理部１３００に設定する（Ｓ３１０）。これに代えて、選択部１５００は、送信に用いる通信方式を無線処理部１３００に設定するときに、受信に用いる通信方式を併せて設定してもよい。次に、無線処理部１３００は、選択部１５００により設定された通信方式に基づき直交復調されたベースバンド信号Ｉ及びＱを復調し（Ｓ３２０）、通信パケットに変換して通信パケット送信部１３１５及び通信ネットワーク１１００ａを介して入出力部１０００ａへ送信する（Ｓ３３０）。次に、通信パケット受信部１０３０は、受信した通信パケットをデジタル音声信号及び／又はデジタルデータ信号に変換し、対応する音声出力部１０４０及び／又はデジタル入出力部１０５０を介して出力する（Ｓ３４０）。
【００３０】
以上に示した無線伝送システム１０によれば、通信ネットワーク１１００ａを介して無線通信部１２００ａに接続された複数の入出力部１０００ａ〜ｂが、無線通信部１２００ａを用いて音声及び／又はデータを無線通信により伝送することができる。また、入出力部１０００ａ〜ｂは、音声及びデジタルデータの両方を、共通する通信ネットワーク１１００ａを介して無線通信部１２００ａとの間で送受信することができ、効率良く配線することができる。また、無線通信部１２００ａは、送信及び／又は受信に用いるべき通信方式を、複数の通信方式の中から適切に選択することができる。
【００３１】
図３は、本実施形態に係る無線通信部１２００ａのハードウェア構成の一例を示す。ＣＰＵ３０００は、ＲＯＭ３０１０及びＲＡＭ３０２０に格納されたプログラムに基づいて動作し、各部の制御を行う。ＣＰＵ３０００は、ＤＳＰ、汎用ＣＰＵ、又はマイクロコントローラ等であってよく、ＣＰＵ３０００内部に設けたインターフェイス部１３６０を介して高周波部１４００と接続される。ＲＯＭ３０１０は、無線通信部１２００ａの起動時にＣＰＵ３０００が実行するブートプログラムや、無線通信部１２００ａのハードウェアに依存するプログラム等を格納する。ＲＡＭ３０２０は、ＣＰＵ３０００が実行するプログラム及びデータを格納する。また、ＲＡＭ３０２０は、無線通信部１２００ａが使用することができる複数の通信方式について、無線処理部１３００に設定すべき通信方式プログラム３０２２ａ〜ｂ及び通信方式データ３０２４ａ〜ｂを格納する。通信方式プログラム３０２２ａ〜ｂは、それぞれ対応する通信方式に基づく通信処理、変復調処理、直交変復調処理をＣＰＵ３０００に行わせるプログラムであり、通信方式データ３０２４ａ〜ｂは、それぞれ対応する通信方式に基づく通信処理、変復調処理、直交変復調処理に用いるパラメータを記録したデータである。
【００３２】
通信インターフェイス３０３０は、通信パケット受信部１３１０及び通信パケット送信部１３１５を含み、通信ネットワーク１１００ａを介して入出力部１０００ａ〜ｂと通信する。記録媒体インターフェイス３０４０は、例えばＣＤ−ＲＯＭ、フレキシブルディスク、ＩＣカード、又は半導体メモリ等の記録媒体３０５０からプログラム又はデータを読み取り、ＲＡＭ３０２０に提供する。
【００３３】
ＲＡＭ３０２０に提供され、無線通信部１２００ａにおいて実行されるプログラムは、記録媒体３０５０に格納されて利用者によって提供される。プログラムは記録媒体３０５０から読み出され、記録媒体インターフェイス３０４０を介して無線通信部１２００ａにインストールされ、無線通信部１２００ａにおいて実行される。無線通信部１２００ａにインストールされて実行されるプログラムは、変調処理モジュールと、復調処理モジュールと、直交変調処理モジュールと、選択モジュールとを含む。これらのプログラム又はモジュールは、無線通信部１２００ａを、変調処理部１３２４、復調処理部１３２８、直交変復調処理部１３４０、及び選択部１５００としてそれぞれ機能させる。
【００３４】
以上に示したプログラム又はモジュールは、外部の記録媒体に格納されてもよい。記録媒体としては、フレキシブルディスク、ＣＤ−ＲＯＭの他に、ＤＶＤやＰＤ等の光学記録媒体、ＭＤ等の光磁気記録媒体、テープ媒体、ＩＣカード等の半導体メモリ等を用いることができる。また、通信ネットワーク１１００ａ等のネットワークやインターネットに接続されたサーバシステムに設けたハードディスク又はＲＡＭ等の記憶装置を記録媒体として使用し、通信ネットワーク１１００ａを介してプログラムを無線通信部１２００ａに提供してもよい。
【００３５】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【００３６】
例えば、ＣＰＵ３０００は、通信ネットワーク１１００ａから受信する通信パケット及び／又は高周波部１４００を介して無線により受信する信号に対応して、時分割により通信方式を切り替えてもよい。
【００３７】
【発明の効果】
上記説明から明らかなように、本発明によれば複数の入出力部が通信ネットワークを介して音声及び／又はデータを無線通信により効率良く伝送することができる。
【図面の簡単な説明】
【図１】本実施形態に係る無線伝送システム１０の構成を示す。
【図２】本実施形態に係る無線伝送システム１０の通信フローを示す。
【図３】本実施形態に係る無線通信部１２００ａのハードウェア構成を示す。
【符号の説明】
１０  無線伝送システム、１０００ａ〜ｄ  入出力部、１０１０  音声入力部、１０２０  通信パケット送信部、１０３０  通信パケット受信部、１０４０  音声出力部、１０５０  デジタル入出力部、１１００ａ〜ｂ  通信ネットワーク、１２００ａ〜ｂ  無線通信部、１３００  無線処理部、１３１０  通信パケット受信部、１３１５  通信パケット送信部、１３２０  信号処理部、１３２２  ＦＩＦＯメモリ、１３２４  変調処理部、１３２６  バッファ、１３２７  バッファ、１３２８  復調処理部、１３４０  直交変復調処理部、１３６０  インターフェイス部、１３６２  Ｄ／Ａ変換器、１３６４  Ａ／Ｄ変換器、１４００  高周波部、１４１０  無線送信部、１４２０  周波数変換部、１４３０  電力増幅器、１４４０  無線受信部、１４５０  低雑音増幅器、１４６０  周波数変換部、１５００  選択部、３０００  ＣＰＵ、３０１０  ＲＯＭ、３０２０  ＲＡＭ、３０２２ａ〜ｂ  通信方式プログラム、３０２４ａ〜ｂ  通信方式データ、３０３０  通信インターフェイス、３０４０  記録媒体インターフェイス、３０５０  記録媒体
【図１】
2004208140.tif 000003
【図２】
2004208140.tif 000004
【図３】
2004208140.tif 000005